(57)【要約】【課題】略長方形状に形成されるカードがその短手方向で挿入される手動式のカードリーダにおいて、カードのＩＣチップとカードリーダとの間でデータの通信を行うことが可能であっても、挿入されたカードを容易に抜き取ることが可能なカードリーダを提供する。【解決手段】略長方形状に形成される接触式のＩＣカード２が短手方向で挿入される手動式のカードリーダ１は、カード２が正しい向きで挿入口３に挿入されたことを検知するための挿入向き検知機構３０〜３２と、カード２の先端面が所定の位置まで挿入されたことを検知するための先端検知機構１０と、カード２が正しい向きで挿入口３に挿入されたことが検知されるとともにカード２の先端面が所定の位置まで挿入されたことが検知されると挿入されたカード２の抜取りを防止する抜取り防止機構１１と、カードリーダ１の内部に挿入されたカード２を排出方向へ押し出す押出し機構４１とを備えている。【選択図】図１
2015194875.tif 000002
【特許請求の範囲】
【請求項１】
ＩＣチップが内蔵されるとともに略長方形状に形成されるカードがその短手方向で挿入される手動式のカードリーダであって、
前記カードに形成される前記ＩＣチップの外部接続端子に接触するＩＣ接点バネを有するＩＣ接点ブロックと、前記カードが挿入される挿入口と、前記カードが正しい向きで前記挿入口に挿入されたことを検知するための挿入向き検知機構と、前記カードの挿入方向における前記カードの先端面が所定の位置まで挿入されたことを検知するための先端検知機構と、前記挿入向き検知機構での検知結果に基づいて前記カードが正しい向きで前記挿入口に挿入されたことが検知されるとともに前記先端検知機構での検知結果に基づいて前記挿入方向における前記カードの先端面が所定の位置まで挿入されたことが検知されると前記カードリーダの内部に挿入された前記カードの抜取りを防止する抜取り防止機構と、前記カードリーダの内部に挿入された前記カードを前記挿入方向の反対方向となる前記カードの排出方向へ押し出す押出し機構とを備えることを特徴とするカードリーダ。
【請求項２】
前記挿入口に挿入された前記カードの厚さ方向と前記挿入方向とに直交する前記カードの幅方向において所定の間隔をあけた状態で配置される少なくとも２個の前記先端検知機構を備えることを特徴とする請求項１記載のカードリーダ。
【請求項３】
前記先端検知機構は、前記挿入方向における前記カードの先端面が当接すると前記挿入方向側へ移動する当接部を有する当接部材と、前記当接部材の動きを検知するためのセンサと、前記当接部が前記排出方向へ前記カードを押し戻すように前記当接部材を付勢する付勢部材とを備え、
前記当接部材と前記付勢部材とによって前記押出し機構の少なくとも一部が構成されていることを特徴とする請求項１または２記載のカードリーダ。
【請求項４】
前記挿入向き検知機構は、前記カードがその短手方向で前記挿入口に挿入されたのかそれとも前記カードがその長手方向で前記挿入口に挿入されたのかを検知するための幅検知機構と、前記挿入口に挿入された前記カードの表裏を検知するための表裏検知機構とを備えることを特徴とする請求項１から３のいずれかに記載のカードリーダ。
【請求項５】
前記カードには、磁気ストライプが形成され、
前記表裏検知機構は、前記磁気ストライプを検知するための磁気ヘッドまたは磁気センサと、前記外部接続端子を検知するための金属検知機構との少なくともいずれか一方を備えることを特徴とする請求項４記載のカードリーダ。
【請求項６】
前記抜取り防止機構は、前記カードの、前記排出方向側の端面に接触して前記カードの抜取りを防止する抜取り防止部材を備えることを特徴とする請求項１から５のいずれかに記載のカードリーダ。
【請求項７】
前記挿入口が形成されるカード挿入部には、前記カード挿入部の、前記排出方向側の端面から前記挿入方向側に向かって窪む凹部が形成されていることを特徴とする請求項１から６のいずれかに記載のカードリーダ。
【請求項８】
前記挿入口に挿入された前記カードの厚さ方向と前記挿入方向とに直交する前記カードの幅方向の両端側に配置される２個の前記先端検知機構を備え、
２個の前記先端検知機構によって、前記幅検知機構が構成されていることを特徴とする請求項４記載のカードリーダ。
【発明の詳細な説明】
【技術分野】
【０００１】
本発明は、略長方形状に形成されるカードがその短手方向で挿入される手動式のカードリーダに関する。
【背景技術】
【０００２】
従来、略長方形状に形成されるカードをその短手方向で搬送して処理するカードリーダが知られている（たとえば、特許文献１参照）。図６に示すように、特許文献１に記載のカードリーダで処理されるカード２では、その裏面に磁気ストライプ２ａが形成されている。また、カード２には、ＩＣチップが内蔵されており、カード２のおもて面には、外部接続端子２ｂが形成されている。磁気ストライプ２ａは、カード２の長手方向に平行な細長い帯状に形成されている。また、磁気ストライプ２ａは、カード２の短手方向の一端面２ｃを基準とする所定の位置に形成されている。外部接続端子２ｂは、カード２の短手方向の一端面２ｃおよびカード２の長手方向の一端面２ｄを基準とする所定の位置に形成されている。また、外部接続端子２ｂは、カード２の短手方向において、カード２の略中心位置に形成されている。
【０００３】
また、特許文献１に記載のカードリーダは、カード２を搬送するカード搬送機構と、磁気ストライプ２ａに記録された磁気データの読取や磁気ストライプ２ａへの磁気データの記録を行う磁気ヘッドと、カード２の搬送方向に直交する方向へ磁気ヘッドを移動させるヘッド移動機構と、外部接続端子２ｂに接触するＩＣ接点バネを有するＩＣ接点ブロックと、カードリーダの内部に取り込まれたカード２を位置決めするための位置決め機構とを備えている。カード搬送機構は、搬送ローラと、搬送ローラに対向配置されるパッドローラとを備えている。搬送ローラには、動力伝達機構を介してモータが連結されている。
【先行技術文献】
【特許文献】
【０００４】
【特許文献１】特開２０１３−１６４６７５号公報
【発明の概要】
【発明が解決しようとする課題】
【０００５】
特許文献１に記載のカードリーダからカード搬送機構を取り外して手動式のカードリーダとすれば、カードリーダの構成を簡素化して、カードリーダを小型化するとともにカードリーダのコストを低減することが可能である。この手動式のカードリーダにおいても、カード２の外部接続端子２ｂと、カードリーダの内部に配置されるＩＣ接点バネとを接触させることで、カード２のＩＣチップとカードリーダとの間でデータの通信を行うことが可能である。外部接続端子２ｂは、カード２の短手方向においてカード２の略中心位置に形成されているため、この手動式のカードリーダでは、カードリーダの内部に配置されるＩＣ接点バネと外部接続端子２ｂとを接触させる際に、カード２をカードリーダの奥側まで手動で挿入する必要がある。
【０００６】
しかしながら、略長方形状に形成されるカード２がその短手方向で挿入されるカードリーダにおいて、カード２がカードリーダの奥側まで挿入されると、カード２の掴み代が少なくなり、カードリーダにカード２を挿入したユーザは、処理が終わった後のカード２をカードリーダから抜き取りにくくなる。
【０００７】
そこで、本発明の課題は、略長方形状に形成されるカードがその短手方向で挿入される手動式のカードリーダにおいて、カードのＩＣチップとカードリーダとの間でデータの通信を行うことが可能であっても、挿入されたカードを容易に抜き取ることが可能なカードリーダを提供することにある。
【課題を解決するための手段】
【０００８】
上記の課題を解決するため、本発明のカードリーダは、ＩＣチップが内蔵されるとともに略長方形状に形成されるカードがその短手方向で挿入される手動式のカードリーダであって、カードに形成されるＩＣチップの外部接続端子に接触するＩＣ接点バネを有するＩＣ接点ブロックと、カードが挿入される挿入口と、カードが正しい向きで挿入口に挿入されたことを検知するための挿入向き検知機構と、カードの挿入方向におけるカードの先端面が所定の位置まで挿入されたことを検知するための先端検知機構と、挿入向き検知機構での検知結果に基づいてカードが正しい向きで挿入口に挿入されたことが検知されるとともに先端検知機構での検知結果に基づいて挿入方向におけるカードの先端面が所定の位置まで挿入されたことが検知されるとカードリーダの内部に挿入されたカードの抜取りを防止する抜取り防止機構と、カードリーダの内部に挿入されたカードを挿入方向の反対方向となるカードの排出方向へ押し出す押出し機構とを備えることを特徴とする。
【０００９】
本発明のカードリーダは、カードリーダの内部に挿入されたカードを挿入方向の反対方向となるカードの排出方向へ押し出す押出し機構を備えている。したがって、本発明では、カードの短手方向においてカードの略中心位置に形成される外部接続端子と、カードリーダの内部に配置されるＩＣ接点バネとを接触させるために、カードリーダの奥側までカードが挿入される場合であっても、カードのＩＣチップとカードリーダとの間のデータ通信終了後に、押出し機構によってカードを排出方向へ押し出すことで、ユーザは、カードリーダに挿入されたカードを容易に抜き取ることが可能になる。すなわち、本発明では、略長方形状に形成されるカードがその短手方向で挿入される手動式のカードリーダにおいて、カードのＩＣチップとカードリーダとの間でデータの通信を行うことが可能であっても、カードリーダに挿入されたカードを容易に抜き取ることが可能になる。
【００１０】
また、本発明のカードリーダは、カードリーダの内部に挿入されたカードの抜取りを防止する抜取り防止機構を備えているため、カードのＩＣチップとカードリーダとの間でデータの通信を行っている際のカードの抜取りを防止することが可能になる。したがって、本発明では、カードのＩＣチップとカードリーダとの間で適切なデータの通信を行うことが可能になる。
【００１１】
さらに、本発明のカードリーダでは、抜取り防止機構は、挿入向き検知機構での検知結果に基づいてカードが正しい向きで挿入口に挿入されたことが検知されるとともに先端検知機構での検知結果に基づいて挿入方向におけるカードの先端面が所定の位置まで挿入されたことが検知されると、カードリーダの内部に挿入されたカードの抜取りを防止している。すなわち、本発明では、抜取り防止機構は、誤った向きで挿入口にカードが挿入された場合や、挿入方向におけるカードの先端面が所定の位置まで挿入されていない場合には、カードの抜取りを防止しない。したがって、本発明では、誤った向きで挿入口にカードが挿入された場合や、挿入方向におけるカードの先端面が所定の位置まで挿入されていない場合に、押出し機構によってカードを排出方向へ押し出すことが可能になる。また、押出し機構によってカードを排出方向へ押し出すことで、カードを挿入したユーザに、誤った向きで挿入口にカードが挿入されたことや、挿入方向におけるカードの先端面が所定の位置まで挿入されていないことを知らせることが可能になる。
【００１２】
本発明において、カードリーダは、挿入口に挿入されたカードの厚さ方向と挿入方向とに直交するカードの幅方向において所定の間隔をあけた状態で配置される少なくとも２個の先端検知機構を備えることが好ましい。このように構成すると、カードの幅方向において所定の間隔をあけた状態で配置される少なくとも２個の先端検知機構によって、カードの挿入方向に対してカードの短手方向が傾いているのか否かを検知することが可能になる。また、カードの挿入方向に対してカードの短手方向が傾いており、ある先端検知機構では挿入方向におけるカードの先端面が所定の位置まで挿入されていることが検知されているが、他の先端検知機構では挿入方向におけるカードの先端面が所定の位置まで挿入されていることが検知されていない場合に、抜取り防止機構によるカードの抜取り防止を行わずに、押出し機構によってカードを排出方向へ押し出すことが可能になる。したがって、カードの挿入方向に対してカードの短手方向が傾かないようにカードを再挿入する必要があることをユーザに知らせることが可能になる。また、カードの挿入方向に対してカードの短手方向が傾かないようにカードを再挿入させることで、カードの外部接続端子とＩＣ接点バネとを確実に接触させて、カードのＩＣチップとカードリーダとの間で適切なデータの通信を行うことが可能になる。
【００１３】
本発明において、先端検知機構は、挿入方向におけるカードの先端面が当接すると挿入方向側へ移動する当接部を有する当接部材と、当接部材の動きを検知するためのセンサと、当接部が排出方向へカードを押し戻すように当接部材を付勢する付勢部材とを備え、当接部材と付勢部材とによって押出し機構の少なくとも一部が構成されていることが好ましい。この場合には、共通の部材を用いて、先端検知機構の一部と、押出し機構の少なくとも一部とを構成することが可能になる。したがって、カードリーダの構成を簡素化することが可能になる。
【００１４】
本発明において、たとえば、挿入向き検知機構は、カードがその短手方向で挿入口に挿入されたのかそれともカードがその長手方向で挿入口に挿入されたのかを検知するための幅検知機構と、挿入口に挿入されたカードの表裏を検知するための表裏検知機構とを備えている。この場合には、カードの短手方向がカードの挿入方向と一致するように挿入口にカードが挿入されたのか、それとも、カードの長手方向がカードの挿入方向と一致するように挿入口にカードが挿入されたのかを検知することが可能になるとともに、挿入口に挿入されたカードの表裏の向きが正しいか否かを検知することが可能になる。
【００１５】
本発明において、カードには、磁気ストライプが形成され、表裏検知機構は、たとえば、磁気ストライプを検知するための磁気ヘッドまたは磁気センサと、外部接続端子を検知するための金属検知機構との少なくともいずれか一方を備えている。
【００１６】
本発明において、抜取り防止機構は、カードの、排出方向側の端面に接触してカードの抜取りを防止する抜取り防止部材を備えることが好ましい。このように構成すると、抜取り防止機構によるカードの抜取りを確実に防止することが可能になる。
【００１７】
本発明において、挿入口が形成されるカード挿入部には、カード挿入部の、排出方向側の端面から挿入方向側に向かって窪む凹部が形成されていることが好ましい。このように構成すると、カードの短手方向と挿入方向とが一致するようにカードリーダの奥側までカードが挿入される場合であっても、ユーザは、凹部を利用して、カードリーダの奥側へカードを押込みやすくなる。また、このように構成すると、カード挿入部の、凹部が形成されていない部分を利用して、先端検知機構や抜取り防止機構等を配置することが可能になる。
【００１８】
本発明において、カードリーダは、挿入口に挿入されたカードの厚さ方向と挿入方向とに直交するカードの幅方向の両端側に配置される２個の先端検知機構を備え、２個の先端検知機構によって、幅検知機構が構成されていることが好ましい。この場合には、共通の部材を用いて、先端検知機構と幅検知機構とを構成することが可能になるため、カードリーダの構成を簡素化することが可能になる。
【発明の効果】
【００１９】
以上のように、本発明では、略長方形状に形成されるカードがその短手方向で挿入される手動式のカードリーダにおいて、カードのＩＣチップとカードリーダとの間でデータの通信を行うことが可能であっても、カードリーダに挿入されたカードを容易に抜き取ることが可能になる。
【図面の簡単な説明】
【００２０】
【図１】本発明の実施の形態にかかるカードリーダの概略構成を側面から説明するための図である。
【図２】図１に示すカードリーダの概略構成を上面から説明するための図である。
【図３】図１に示すカードリーダの一部の概略構成を正面から説明するための図である。
【図４】図３に示す幅検知機構の動作を正面から説明するための図である。
【図５】図１に示す位置決め機構および抜取り防止機構の動作を側面から説明するための図である。
【図６】図１に示すカードリーダで使用されるカードの平面図である。
【発明を実施するための形態】
【００２１】
以下、図面を参照しながら、本発明の実施の形態を説明する。
【００２２】
（カードリーダの全体構成）
図１は、本発明の実施の形態にかかるカードリーダ１の概略構成を側面から説明するための図である。図２は、図１に示すカードリーダ１の概略構成を上面から説明するための図である。図３は、図１に示すカードリーダ１の一部の概略構成を正面から説明するための図である。
【００２３】
本形態のカードリーダ１は、カード２に記録されたデータの読取およびカード２へのデータの記録の少なくとも一方を行うための装置であり、所定の上位装置に搭載されて使用される。また、本形態のカードリーダ１は、ユーザが、カードリーダ１の内部に手動でカード２を挿入する手動式のカードリーダである。このカードリーダ１は、カード２が挿入される挿入口３が形成されるカード挿入部４を備えている。カードリーダ１の内部には、挿入されたカード２が通過するカード通過路５が形成されている。カード通過路５は、挿入口３に繋がるように形成されている。また、カード通過路５は、図示を省略するガイド部材によって構成されるとともに、カード２が直線的に移動するように形成されている。
【００２４】
また、カードリーダ１は、カード２に当接してカード２に記録された磁気データの読取やカード２への磁気データの記録を行う磁気ヘッド７と、カード２の挿入方向に直交する方向へ磁気ヘッド７を移動させるヘッド移動機構８と、カード２に形成される外部接続端子２ｂに接触してデータの通信を行うためのＩＣ接点ブロック９と、カードリーダ１の内部に挿入されたカード２を位置決めするための位置決め機構１０と、カードリーダ１の内部に挿入されたカード２の抜取りを防止するための抜取り防止機構１１とを備えている。
【００２５】
カード２は、厚さが０．７〜０．８ｍｍ程度の塩化ビニール製のカードであり、上述の特許文献１に記載のカードと同様に構成されている。本形態のカード２は、国際規格（たとえば、ＩＳＯ／ＩＥＣ７８１１）やＪＩＳ規格（たとえば、ＪＩＳＸ６３０２）に準拠した磁気ストライプ付きのカードであり、四隅に丸みを持った略長方形状に形成されている。カード２の裏面には、磁気ストライプ２ａが形成されている。また、カード２には、ＩＣチップ（図示省略）が内蔵されており、カード２のおもて面には、外部接続端子２ｂが形成されている。
【００２６】
磁気ストライプ２ａは、略長方形状に形成されるカード２の長手方向に平行な細長い帯状に形成されている。また、磁気ストライプ２ａは、カード２の短手方向において、カード２の短手方向の一端面２ｃ側に形成されている。具体的には、国際規格やＪＩＳ規格に基づいて、磁気ストライプ２ａは、カード２の短手方向において、一端面２ｃを基準とする所定の範囲内に形成されている。外部接続端子２ｂは、カード２の長手方向の一端面２ｄ側、かつ、カード２の短手方向における略中心位置に形成されている。外部接続端子２ｂは、カード２の短手方向において４行、かつ、カード２の長手方向において２列に配列される８個の接続端子によって構成されている。
【００２７】
本形態のカードリーダ１では、図１等に示すＸ１方向にカード２が挿入され、Ｘ２方向にカード２が排出される。すなわち、Ｘ１方向は、カード２の挿入方向であり、Ｘ２方向は、カード２の排出方向である。また、Ｘ方向は、カード２の通過方向である。また、本形態では、カード２の短手方向とＸ方向とが一致するように、カードリーダ１にカード２が挿入される。すなわち、カードリーダ１には、カード２がその短手方向で挿入される。
【００２８】
また、Ｘ方向に直交する図１等のＹ方向は、カード通過路５の幅方向であり、カードリーダ１内に正しい向きで挿入されたカード２の長手方向は、Ｙ方向と略一致する。また、Ｘ方向とＹ方向とに直交する図１等のＺ方向は、挿入口３に挿入されたカード２の厚さ方向である。本形態では、Ｚ方向と鉛直方向とが一致するようにカードリーダ１が配置されている。なお、以下の説明では、Ｘ方向を「前後方向」、Ｙ方向を「左右方向」、Ｚ方向を「上下方向」とし、また、Ｘ１方向側を「奥（後ろ）」側、Ｘ２方向側を「前」側、Ｙ１方向側を「右」側、Ｙ２方向側を「左」側、Ｚ１方向側を「上」側、Ｚ２方向側を「下」側とする。
【００２９】
磁気ヘッド７は、カードリーダ１の本体部１５の内部に配置されている。また、磁気ヘッド７は、ＩＣ接点ブロック９よりも奥側に配置されている。ヘッド移動機構８は、磁気ヘッド７が搭載されるキャリッジ１６と、左右方向へキャリッジ１６を案内するガイド軸１７と、キャリッジ１６を左右方向へ送るリードスクリュー１８と、ガイド軸１７を中心とするキャリッジ１６の回動を防止するための回動防止軸１９とを備えている。リードスクリュー１８には、プーリおよびベルトから構成される動力伝達機構２０を介してモータ２１が連結されている。また、ヘッド移動機構８は、磁気ヘッド７を上下動させるためのカム板（図示省略）を備えている。
【００３０】
キャリッジ１６は、図１に示すように、キャリッジ本体２２と、磁気ヘッド７を保持するヘッド保持部材２３とを備えている。キャリッジ本体２２には、リードスクリュー１８に係合するメネジ部材と、ガイド軸１７に係合する摺動軸受と、回動防止軸１９に係合する摺動部材とが取り付けられている。また、キャリッジ本体２２は、ヘッド保持部材２３を回動可能に保持している。ヘッド保持部材２３は、図示を省略するネジリコイルバネの付勢力によって、磁気ヘッド７が上昇する方向へ付勢されている。ヘッド保持部材２３には、カム板のカムに当接するローラ（図示省略）が回転可能に取り付けられている。
【００３１】
ヘッド移動機構８は、リードスクリュー１８等によって、磁気ヘッド７を左右方向へ移動させるとともに、ヘッド保持部材２３に取り付けられるローラおよびカム板によって、磁気ヘッド７がカード２の磁気ストライプ２ａに当接可能な位置と磁気ヘッド７がカード通過路５から退避する位置との間で磁気ヘッド７を上下動させる。本形態のヘッド移動機構８は、カード通過路５の下側へ磁気ヘッド７を退避させる。
【００３２】
ＩＣ接点ブロック９は、カードリーダ１の本体部１５の内部に配置されている。また、ＩＣ接点ブロック９は、磁気ヘッド７よりも前側に配置されている。また、ＩＣ接点ブロック９は、左右方向において、カード通過路５の左端側に配置されるとともに、カード通過路５の上側に配置されている。このＩＣ接点ブロック９は、カード２の外部接続端子２ｂに接触する複数のＩＣ接点バネ２５と、複数のＩＣ接点バネ２５を保持するバネ保持部材２６とを備えている。
【００３３】
ＩＣ接点ブロック９には、図示を省略する接点ブロック移動機構が連結されている。接点ブロック移動機構は、ソレノイド等の駆動源を備えており、ＩＣ接点バネ２５がカード２の外部接続端子２ｂに接触可能な位置と、ＩＣ接点バネ２５がカード通過路５から退避する位置との間でＩＣ接点ブロック９を移動させる。本形態の接点ブロック移動機構は、カード通過路５の上側へＩＣ接点バネ２５を退避させる。
【００３４】
（カード挿入部の構成）
図４は、図３に示す幅検知機構３０の動作を正面から説明するための図である。
【００３５】
カード挿入部４は、本体部１５の前端面に取り付けられており、カードリーダ１の前面側部分を構成している。図２に示すように、カード挿入部４には、カード挿入部４の前端面から奥側に向かって窪む凹部４ａが形成されている。凹部４ａは、左右方向におけるカード挿入部４の中間位置に形成されている。凹部４ａの右側は、突出部４ｂとなっており、凹部４ａの左側は、突出部４ｃとなっている。突出部４ｂ、４ｃは、中空状に形成されている。カード挿入部４には、カード２がその短手方向で挿入口３に挿入されたのかそれともその長手方向で挿入口３に挿入されたのかを検知するための幅検知機構３０と、カード２の磁気ストライプ２ａを検知するための磁気ヘッド（プリヘッド）３１と、カード２の外部接続端子２ｂを検知するための金属検知機構３２とが設置されている。
【００３６】
幅検知機構３０は、カード挿入部４の左右の両端側に配置されカード通過路５に出没可能な２個の検知レバー３３と、２個の検知レバー３３のそれぞれの動きを検知する２個のセンサ（図示省略）とを備えている。センサは、たとえば、発光素子とこの発光素子からの光を受光する受光素子とを有する透過型の光学式センサである。挿入口３にカード２が挿入される前の待機時には、図４（Ａ）に示すように、検知レバー３３の一部がカード通過路５内に配置されている。
【００３７】
この待機状態で、カード２の短手方向が前後方向と略一致するようにカード２が挿入口３に挿入されると、図４（Ｂ）に示すように、２個の検知レバー３３のそれぞれに、カード２の左右両端面のそれぞれが接触して、２個の検知レバー３３が回動する。一方、待機状態において、カード２の長手方向が前後方向と略一致するようにカード２が挿入口３に挿入されると、２個の検知レバー３３の少なくともいずれか一方にカード２の左右方向の端面が当接せず、２個の検知レバー３３の少なくともいずれか一方は回動しない。そのため、２個のセンサでの検知結果に基づいて、カード２の短手方向が前後方向と略一致するようにカード２が挿入口３に挿入されたのかそれともカード２の長手方向が前後方向と略一致するようにカード２が挿入口３に挿入されたのかを検知することが可能である。なお、幅検知機構３０での検知結果に基づいて、長手方向の長さが国際規格やＪＩＳ規格に準拠しているカード２が挿入口３に挿入されたのか否かを検知することも可能である。
【００３８】
プリヘッド３１は、前後方向において、幅検知機構３０と略同じ位置に配置されている。このプリヘッド３１は、中空状に形成される突出部４ｂの内部に配置されており、カード通過路５の右端側に配置されている。また、プリヘッド３１は、カード通過路５の下側からカード通過路５に臨むように配置されている。そのため、カード２の裏面を下側に向けた状態でカード２の短手方向が前後方向と略一致するように挿入口３にカード２が挿入されると、プリヘッド３１によってカード２の磁気ストライプ２ａが検知されるが、カード２の短手方向が前後方向と略一致するように挿入口３にカード２が挿入された場合であっても、カード２のおもて面を下側に向けた状態で挿入口３にカード２が挿入されると、プリヘッド３１によって磁気ストライプ２ａが検知されない。したがって、カード２の短手方向が前後方向と略一致するように挿入口３にカード２が挿入された場合に、カード２がそのおもて面を上側に向けた状態で挿入されたのかそれともその裏面を上側に向けた状態で挿入されたのかを、プリヘッド３１での検知結果に基づいて検知することが可能である。
【００３９】
なお、本形態では、図２に示すように、プリヘッド３１の磁気ギャップが形成される方向が左右方向に対して傾くように、プリヘッド３１が配置されている。そのため、カード２の裏面を下側に向けた状態でカード２の短手方向が前後方向と略一致するように挿入口３にカード２が挿入されたときに、プリヘッド３１での検知結果に基づいて、磁気ストライプ２ａに磁気データが記録されているのか否かを検知することも可能である。
【００４０】
金属検知機構３２は、励磁用コイルと、検出用コイルと、励磁用コイルおよび検出用コイルが巻回されるコアとを備える磁気式のセンサである。この金属検知機構３２は、前後方向において、幅検知機構３０およびプリヘッド３１よりもわずかに前側に配置されている。また、金属検知機構３２は、中空状に形成される突出部４ｃの内部に配置されており、カード通過路５の左端側に配置されている。さらに、左右方向において、金属検知機構３２は、カード２の短手方向が前後方向と略一致するように、かつ、カード２の長手方向の一端面２ｄが左側に配置されるように挿入口３にカード２が挿入されるときに、カード２の外部接続端子２ｂが通過する位置に配置されている。そのため、カード２の短手方向が前後方向と略一致するように、かつ、カード２の長手方向の一端面２ｄが左側に配置されるように挿入口３にカード２が挿入されると、金属検知機構３２によって外部接続端子２ｂが検知されるが、カード２の短手方向が前後方向と略一致するように挿入口３にカード２が挿入された場合であっても、カード２の長手方向の他端面２ｆが左側に配置されるように挿入口３にカード２が挿入されると、金属検知機構３２によって外部接続端子２ｂが検知されない。したがって、カード２の短手方向が前後方向と略一致するように挿入口３にカード２が挿入された場合に、一端面２ｄが左側に配置されるようにカード２が挿入されたのかそれとも他端面２ｆが左側に配置されるようにカード２が挿入されたのかを、金属検知機構３２での検知結果に基づいて検知することが可能である。
【００４１】
また、金属検知機構３２は、カード通過路５の上側に配置されている。そのため、カード２のおもて面を上側に向けた状態で、カード２の短手方向が前後方向と略一致するように一端面２ｃ側から挿入口３にカード２が挿入されたときの金属検知機構３２の出力信号の信号レベルと、カード２の裏面を上側に向けた状態で、カード２の短手方向が前後方向と略一致するようにカード２の短手方向の他端面２ｅ側から挿入口３にカード２が挿入されたときの金属検知機構３２の出力信号の信号レベルとが相違する。したがって、カード２の短手方向が前後方向と略一致するように、かつ、一端面２ｄが左側に配置されるように挿入口３にカード２が挿入された場合に、カード２がそのおもて面を上側に向けた状態で挿入されたのかそれともその裏面を上側に向けた状態で挿入されたのかを、金属検知機構３２での検知結果に基づいて検知することが可能である。
【００４２】
本形態では、カード２のおもて面を上側に向けた状態で、カード２の短手方向が前後方向と一致するように、カード２の短手方向の一端面２ｃ側から（すなわち、カード２の長手方向の一端面２ｄが左側に配置された状態で）挿入口３にカード２が挿入される場合
が、正しい向きでカード２が挿入される場合である。上述のように、幅検知機構３０での検知結果に基づいて、カード２の短手方向が前後方向と略一致するように挿入口３に挿入されたのか否かを検知することが可能であり、金属検知機構３２での検知結果に基づいて、カード２の短手方向が前後方向と略一致するように挿入口３にカード２が挿入された場合に、一端面２ｄが左側に配置されるようにカード２が挿入されたのか否かを検知することが可能であるとともに、プリヘッド３１での検知結果や金属検知機構３２での検知結果に基づいて、カード２の短手方向が前後方向と略一致するように、かつ、一端面２ｄが左側に配置されるように挿入口３にカード２が挿入された場合に、カード２がそのおもて面を上側に向けた状態で挿入されたのか否かを検知することが可能である。
【００４３】
したがって、本形態では、幅検知機構３０、プリヘッド３１および金属検知機構３２での検知結果に基づいて、カード２が正しい向きで挿入口３に挿入されたのか否かを検知することができる。本形態では、幅検知機構３０、プリヘッド３１および金属検知機構３２によって、カード２が正しい向きで挿入口３に挿入されたことを検知するための挿入向き検知機構が構成されている。また、本形態では、プリヘッド３１および／または金属検知機構３２は、挿入口３に挿入されたカード２の表裏を検知するための表裏検知機構となっている。
【００４４】
（位置決め機構の構成）
図５は、図１に示す位置決め機構１０および抜取り防止機構１１の動作を側面から説明するための図である。
【００４５】
位置決め機構１０は、カードリーダ１の本体部１５の内部に配置されている。この位置決め機構１０は、カードリーダ１に挿入されたカード２の奥端面（すなわち、挿入方向の先端面）が当接する当接部３６ａが形成された位置決め部材３６と、位置決め部材３６を回動可能に支持する支持軸３７と、位置決め部材３６の動きを検知するためのセンサ３８と、位置決め部材３６を付勢する引張りコイルバネ３９とを備えている。センサ３８は、たとえば、発光素子とこの発光素子からの光を受光する受光素子とを備える透過型の光学式センサである。本形態では、２個の位置決め機構１０が左右方向において所定の間隔をあけた状態で配置されている。具体的には、カード通過路５の左右の両端側のそれぞれに位置決め機構１０が配置されている。なお、図２、図３では、支持軸３７および引張りコイルバネ３９の図示を省略している。
【００４６】
位置決め部材３６は、平板状に形成されている。この位置決め部材３６は、上述の当接部３６ａに加えて、当接部３６ａの上端から略上側に向かって延びる腕部３６ｂを備えている。支持軸３７は、その軸方向と左右方向とが一致するように本体部１５のフレームに固定されている。位置決め部材３６は、当接部３６ａと腕部３６ｂとの境界部で支持軸３７に回動可能に保持されている。なお、位置決め部材３６の回動範囲は、図示を省略するストッパ部材によって規制されている。
【００４７】
当接部３６ａは、上下方向に細長い略長方形状に形成されている。この当接部３６ａは、前後方向において、磁気ヘッド７よりも奥側に配置されている。当接部３６ａの前端側には、当接部３６ａに当接するカード２を下面側から支持する支持部３６ｃが形成されている。腕部３６ｂの上端側には、センサ３８の発光素子と受光素子との間を遮る遮光部３６ｄが形成されている。遮光部３６ｄの下側には、引張りコイルバネ３９の一端が係合するバネ係合部３６ｅが形成されている。引張りコイルバネ３９の他端は、本体部１５のフレームに固定されている。
【００４８】
本形態では、当接部３６ａにカード２が当接していないときには、引張りコイルバネ３９の付勢力によって、位置決め部材３６は、支持軸３７を中心にして図５の反時計回りの方向（反時計方向）へ付勢されている（図５（Ａ）参照）。この状態で、挿入口３に挿入されたカード２の奥端面が当接部３６ａに当接すると、図５（Ｂ）、（Ｃ）に示すように、当接部３６ａがカード２に押されて、位置決め部材３６が支持軸３７を中心に図５の時計回りの方向（時計方向）へ回動し、図示を省略するストッパ部材に当接する。位置決め部材３６がストッパに当接すると、前後方向において、カード２が位置決めされる。
【００４９】
図５（Ａ）に示すように、当接部３６ａにカード２が当接していないときには、遮光部３６ｄは、センサ３８の発光素子と受光素子との間から外れている。一方、図５（Ｂ）、（Ｃ）に示すように、カード２の奥端面が当接部３６ａに当接しているときには、遮光部３６ｄは、センサ３８の発光素子と受光素子との間を遮っている。そのため、センサ３８での検知結果に基づいて、前後方向において、カード２が所定位置に位置決めされたことが検知される。
【００５０】
カード２の短手方向と前後方向とが一致するようにカード２が挿入口３に挿入された場合、２個の位置決め部材３６によってカード２が位置決めされたときのカード２の状態は、図２に示す状態となる。すなわち、このときには、カード２の前端面は、カード挿入部４の前端面よりも奥側にあり（すなわち、カード２の前端面は、カードリーダ１の前端面よりも奥側にあり）、凹部４ａでは、カード２の前端側の一部が露出しているが、突出部４ｂ、４ｃでは、カード２の前端側が突出部４ｂ、４ｃの内部に収容されている。また、このときには、前後方向における凹部４ａの中心と、カード２の前端面の位置とが略一致している。また、このときには、カードリーダ１にカード２を挿入するユーザは、凹部４ａで露出するカード２の前端側の一部を掴むことは可能であるが、カード２の掴み代はほとんどない。
【００５１】
本形態の位置決め機構１０は、カード２の奥端面が所定の位置まで挿入されたことを検知するための先端検知機構となっている。具体的には、位置決め機構１０は、磁気ヘッド７が磁気ストライプ２ａに当接可能で、かつ、ＩＣ接点バネ２５が外部接続端子２ｂに接触可能な位置までカード２の奥端面が挿入されたことを検知するための先端検知機構となっている。また、本形態の位置決め部材１０は、カード２の奥端面が当接すると奥側へ移動する当接部３６ａを有する当接部材である。また、上述のように、引張りコイルバネ３９の付勢力によって、位置決め部材３６は、支持軸３７を中心に図５の反時計方向へ付勢されており、当接部３６ａには、当接しているカード２を前方向へ押し戻す力が作用している。本形態の引張りコイルバネ３９は、当接部３６ａが前方向へカード２を押し戻すように、当接部材である位置決め部材３６を付勢する付勢部材となっている。また、本形態では、位置決め部材３６と支持軸３７と引張りコイルバネ３９とによって、カードリーダ１の内部に挿入されたカード２を前方向へ押し出す押出し機構４１が構成されている。
【００５２】
（抜取り防止機構の構成）
抜取り防止機構１１は、カードリーダ１の内部に挿入されたカード２の前端面に接触してカード２の抜取りを防止する抜取り防止部材４３と、抜取り防止部材４３を回動可能に支持する支持軸４４と、支持軸４４を中心に抜取り防止部材４３を回動させる駆動源としてのソレノイド４５とを備えている。なお、図１〜図３では、ソレノイド４５の図示を省略している。また、図２、図３では、支持軸４４の図示を省略している。
【００５３】
抜取り防止部材４３は、平板状に形成されている。この抜取り防止部材４３は、中空状に形成される突出部４ｃの内部に配置されている。また、抜取り防止部材４３は、凹部４ａのすぐ左側に配置されており、左右方向において、２個の位置決め部材３６の間に配置されている。さらに、抜取り防止部材４３は、カード通過路５の上側に配置されている。抜取り防止部材４３は、カード２の前端面に接触する接触部４３ａを備えている。接触部４３ａは、抜取り防止部材４３の前端側に形成されている。また、接触部４３ａは、下方向へ突出する鉤状に形成されている。
【００５４】
支持軸４４は、その軸方向と左右方向とが一致するようにカード挿入部４のフレームに固定されている。支持軸４４は、抜取り防止部材４３の奥端側部分を支持している。図５に示すように、抜取り防止部材４３の、支持軸４４の上側部分には、切欠き溝４３ｂが形成されている。ソレノイド４５の本体は、本体部１５のフレームに固定されている。ソレノイド４５のプランジャには、ピン４６が固定されている。ピン４６は、切欠き溝４３ｂに係合している。なお、所定のリンク機構等を介して、抜取り防止部材４３とソレノイド４５のプランジャとが連結されても良い。
【００５５】
本形態では、たとえば、ソレノイド４５に電力が供給されていない状態では、図示を省略する引張りコイルバネ等の付勢部材によって、図５（Ａ）、（Ｃ）に示すように、抜取り防止部材４３は、支持軸４４を中心にして図５の反時計方向へ付勢されている。この状態で、ソレノイド４５に電力が供給されると、図５（Ｂ）に示すように、抜取り防止部材４３が支持軸４４を中心に図５の時計方向へ回動して、接触部４３ａがカード２の前端面に接触する。カード２の前端面に接触部４３ａが接触すると、カードリーダ１の内部に挿入されたカード２の抜取りが防止される。
【００５６】
なお、カード２の前端面に接触部４３ａが接触している状態では、引張りコイルバネ３９の付勢力によって位置決め部材３６の当接部３６ａにカード２を前方向へ押し戻す力が作用しているため、カード２の前端面は、所定の接触圧で接触部４３ａに接触し、カード２の奥端面は、所定の接触圧で当接部３６ａに接触している。
【００５７】
（カードリーダの概略動作）
以上のように構成されたカードリーダ１では、挿入口３にカード２が挿入される前の待機時に、磁気ヘッド７は、カード通過路５から退避した位置にあり、ＩＣ接点ブロック９は、カード通過路５から退避した退避位置にある。また、この待機時には、ソレノイド４５に電力が供給されていない。
【００５８】
この待機状態において、挿入口３にカード２が挿入され、幅検知機構３０、プリヘッド３１および金属検知機構３２での検知結果に基づいて、カード２が正しい向きで挿入口３に挿入されたことが検知されるとともに、２個の位置決め機構１０のそれぞれによってカード２の奥端面が所定の位置まで挿入されたことが検知されると（すなわち、２個のセンサ３８のそれぞれの発光素子と受光素子との間が遮光部３６ｄに遮られると）、ソレノイド４５が起動して、抜取り防止部材４３が、カードリーダ１の内部に挿入されたカード２の抜取りを防止する。
【００５９】
抜取り防止部材４３によってカード２の抜取りが防止されたことが確認されると、磁気ヘッド７がカード２の磁気ストライプ２ａに当接しながら左右方向へ移動して、磁気データの読取や記録を行う。また、カード２の外部接続端子２ｂにＩＣ接点バネ２５が接触してカード２のＩＣチップとカードリーダ１との間でデータの通信を行う。カードリーダ１の内部でデータの記録等の所定の処理が終了すると、抜取り防止機構１１によるカード２の抜取り防止状態が解除される。抜取り防止機構１１によるカード２の抜取り防止状態が解除されると、引張りコイルバネ３９に付勢される位置決め部材３６の当接部３６ａがカード２を前方向へ押し出す。
【００６０】
一方、待機状態において、挿入口３にカード２が挿入されても、幅検知機構３０、プリヘッド３１および金属検知機構３２での検知結果に基づいて、カード２が誤った向きで挿入口３に挿入されたことが検知された場合や、２個の位置決め機構１０の少なくともいずれかに一方よってカード２の奥端面が所定の位置まで挿入されたことが検知されない場合には、ソレノイド４５は起動せず、カードリーダ１の内部に挿入されたカード２の抜取りは防止されない。そのため、この場合には、引張りコイルバネ３９に付勢される位置決め部材３６の当接部３６ａが挿入されたカード２を前方向へ押し出す。
【００６１】
（本形態の主な効果）
以上説明したように、本形態では、カード２のＩＣチップとカードリーダ１との間のデータの通信等の所定の処理が終了して、抜取り防止機構１１によるカード２の抜取り防止状態が解除されると、引張りコイルバネ３９に付勢される位置決め部材３６の当接部３６ａがカード２を前方向へ押し出す。そのため、本形態では、カード２の短手方向においてカード２の略中心位置に形成される外部接続端子２ｂと、カードリーダ１の本体部１５の内部に配置されるＩＣ接点バネ２５とを接触させるために、カードリーダ１の奥側までカード２が挿入されても（具体的には、凹部４ａではカード２の前端側の一部が露出しているが、突出部４ｂ、４ｃではカード２の前端側が突出部４ｂ、４ｃの内部に収容されるまでカード２が挿入されても）、カードリーダ１の内部での処理後に前方向へ押し出されたカード２をユーザは容易に抜き取ることが可能になる。すなわち、カードリーダ１の内部での処理後に、ユーザは、カードリーダ１に挿入されたカード２を容易に抜き取ることが可能になる。したがって、本形態では、略長方形状に形成されるカード２がその短手方向で挿入される手動式のカードリーダ１において、カード２のＩＣチップとカードリーダ１との間でデータの通信を行うことが可能であっても、カードリーダ１に挿入されたカード２を容易に抜き取ることが可能になる。
【００６２】
本形態では、幅検知機構３０、プリヘッド３１および金属検知機構３２での検知結果に基づいて、カード２が正しい向きで挿入口３に挿入されたことが検知されるとともに、２個の位置決め機構１０のそれぞれによってカード２の奥端面が所定の位置まで挿入されたことが検知されると、ソレノイド４５が起動して、抜取り防止機構１１が、カードリーダ１の内部に挿入されたカード２の抜取りを防止する。そのため、本形態では、磁気ヘッド７による磁気データの読取や記録を行っているとき、および、外部接続端子２ｂにＩＣ接点バネ２５を接触させてカード２のＩＣチップとカードリーダ１との間でデータの通信を行っているときのカード２の抜取りを防止することが可能になる。したがって、本形態では、磁気ヘッド７による適切な磁気データの読取や記録が可能になるとともに、カード２のＩＣチップとカードリーダ１との間で適切なデータの通信を行うことが可能になる。
【００６３】
本形態では、幅検知機構３０、プリヘッド３１および金属検知機構３２での検知結果に基づいて、カード２が誤った向きで挿入口３に挿入されたことが検知された場合や、２個の位置決め機構１０の少なくともいずれか一方によってカード２の奥端面が所定の位置まで挿入されたことが検知されない場合に、抜取り防止機構１１によるカード２の抜取りが防止されず、押出し機構４１がカード２を前方向へ押し出す。すなわち、本形態では、誤った向きで挿入口３にカード２が挿入された場合や、カード２の奥端面が所定の位置まで挿入されていない場合に、カード２は、押出し機構４１によって前方向へ押し出される。そのため、本形態では、カード２を挿入したユーザに、誤った向きで挿入口３にカード２が挿入されたことや、カード２の奥端面が所定の位置まで挿入されていないことを知らせることが可能になる。
【００６４】
本形態では、２個の位置決め機構１０が左右方向において所定の間隔をあけた状態で配置されている。そのため、本形態では、挿入されたカード２の短手方向が前後方向に対して傾いているのか否かを２個の位置決め機構１０を用いて検知することが可能になる。また、本形態では、挿入されたカード２の短手方向が前後方向に対して傾いており、一方の位置決め機構１０ではカード２の奥端面が所定の位置まで挿入されていることが検知されているが、他方の位置決め機構１０ではカードの奥端面が所定の位置まで挿入されていることが検知されていない場合に、抜取り防止機構１１によるカード２の抜取りが防止されず、押出し機構４１がカード２を前方向へ押し出す。したがって、本形態では、カード２の短手方向が前後方向に対して傾かないようにカード２を再挿入する必要があることをユーザに知らせることが可能になる。また、カード２の短手方向が前後方向に対して傾かないようにカード２を再挿入させることで、外部接続端子２ｂとＩＣ接点バネ２５とを確実に接触させて、カード２のＩＣチップとカードリーダ１との間で適切なデータの通信を行うことが可能になるとともに、磁気ヘッド７によって磁気ストライプ２ａに適切な磁気データを記録することが可能になる。
【００６５】
本形態では、位置決め機構１０を構成する位置決め部材３６と支持軸３７と引張りコイルバネ３９とによって、カードリーダ１の内部に挿入されたカード２を前方向へ押し出す押出し機構４１が構成されている。すなわち、本形態では、共通の部材を用いて、位置決め機構１０の一部と、押出し機構４１とが構成されている。そのため、本形態では、カードリーダ１の構成を簡素化することが可能になる。
【００６６】
本形態では、カード挿入部４に、カード挿入部４の前端面から奥側に向かって窪む凹部４ａが形成されている。そのため、本形態では、カード２の短手方向と前後方向とが一致するようにカードリーダ１の奥側までカード２が挿入される場合であっても、ユーザは、凹部４ａを利用して、カードリーダ１の奥側へカード２を押込みやすくなる。また、本形態では、凹部４ａの左右の両側に突出部４ｂ、４ｃが形成されているため、突出部４ｂ、４ｃに、幅検知機構３０、プリヘッド３１、金属検知機構３２および抜取り防止部材４３等を配置することが可能になる。
【００６７】
（他の実施の形態）
上述した形態は、本発明の好適な形態の一例ではあるが、これに限定されるものではなく本発明の要旨を変更しない範囲において種々変形実施が可能である。
【００６８】
上述した形態では、位置決め部材３６は、引張りコイルバネ３９によって付勢されているが、位置決め部材３６は、ネジリコイルバネ等の他のバネ部材によって付勢されても良い。また、上述した形態では、位置決め部材３６は、支持軸３７を中心に回動可能となっているが、位置決め部材３６は、前後方向へ直線的に移動可能となっていても良い。この場合には、たとえば、位置決め部材３６は、圧縮コイルバネ等の付勢部材によって前方向へ付勢される。
【００６９】
上述した形態では、位置決め機構１０は、センサ３８を備えているが、位置決め機構１０は、センサ３８を備えていなくても良い。この場合には、カード２の奥端面が所定の位置まで挿入されたことを検知するための先端検知機構が別途、設置されれば良い。たとえば、先端検知機構として、カード通過路５を上下方向で挟むように配置される発光素子と受光素子とから構成される透過型の光学式センサや、カード２の奥端面が接触する機械式のセンサが設置されれば良い。この場合には、たとえば、センサ３８を備えていない位置決め機構１０が押出し機構４１となる。このように、先端検知機構の一部と押出し機構４１とが共通の部品によって構成されていなくても良い。
【００７０】
また、上述した形態では、位置決め機構１０を構成する位置決め部材３６と支持軸３７と引張りコイルバネ３９とによって押出し機構４１が構成されているが、位置決め部材３６、支持軸３７および引張りコイルバネ３９に加えて、カードリーダ１の内部に挿入されたカード２を前方向へ押し出す押出し機構が別途、設置されても良い。この場合には、たとえば、押出し機構は、カード２に接触してカード２を前方向へ押し出す押出部材と、この押出部材を前後方向へ駆動するモータやソレノイド等の駆動源とを備えている。あるいは、この場合には、たとえば、押出し機構は、カード２に接触してカード２を前方向へ押し出す押出部材と、押出部材を前方向へ付勢する付勢部材と、奥側に押された押出部材をロックするロック機構と、ロック機構による押出部材のロック状態を解除するモータやソレノイド等の駆動源とを備えている。
【００７１】
上述した形態では、磁気ストライプ２ａを検知するためのプリヘッド３１がカード挿入部４に設置されている。この他にもたとえば、磁気ストライプ２ａを検知するためのフラックスゲートセンサ等の磁気センサがカード挿入部４に設置されても良い。また、上述した形態では、カード挿入部４にプリヘッド３１が設置されているが、カード挿入部４にプリヘッド３１が設置されなくても良い。また、上述した形態では、幅検知機構３０、プリヘッド３１および金属検知機構３２によって、カード２が正しい向きで挿入口３に挿入されたことを検知するための挿入向き検知機構が構成されているが、カード２の表裏を検知する必要がない場合には、幅検知機構３０のみによって、カード２が正しい向きで挿入口３に挿入されたことを検知するための挿入向き検知機構が構成されても良い。
【００７２】
上述した形態では、抜取り防止機構１１は、カード２の前端面に接触してカード２の抜取りを防止する抜取り防止部材４３を備えている。この他にもたとえば、抜取り防止機構１１は、抜取り防止部材４３に代えて、カード２の上下の両面からカード２を挟むように把持することで、カード２の抜取りを防止する把持部材を備えていても良い。また、上述した形態では、抜取り防止部材４３は、支持軸４４に支持されており、左右方向を回動の軸方向として回動可能となっているが、抜取り防止部材４３は、前後方向を回動の軸方向として回動可能となっていても良いし、上下方向に移動可能となっていても良い。また、上述した形態では、抜取り防止部材４３を回動させるための駆動源は、ソレノイド４５であるが、抜取り防止部材４３を回動させるための駆動源は、モータであっても良い。
【００７３】
上述した形態では、２個の位置決め機構１０が左右方向において所定の間隔をあけた状態で配置されている。この他にもたとえば、３個以上の位置決め機構１０が左右方向に所定の間隔をあけた状態で配置されても良いし、１個の位置決め機構１０が配置されても良い。
【００７４】
上述した形態において、カード通過路５を閉鎖するためのシャッタ部材と、このシャッタ部材を駆動するシャッタ駆動機構とがカード挿入部４に設置されても良い。この場合には、たとえば、挿入口３にカード２が挿入される前の待機時において、シャッタ部材は、カード通過路５を閉鎖している。また、この場合には、幅検知機構３０での検知結果に基づいて、カード２の短手方向が前後方向と略一致するようにカード２が挿入口３に挿入されたことが検知されたときに、シャッタ部材がカード通過路５を開放し、幅検知機構３０での検知結果に基づいて、カード２の長手方向が前後方向と略一致するようにカード２が挿入口３に挿入されたときには、シャッタ部材はカード通過路５を閉鎖した状態を維持する。
【００７５】
上述した形態において、停電時にソレノイド４５に電力を供給するバックアップ電源が設置されても良い。また、たとえば、細長いピン等を用いて、抜取り防止部材４３の接触部４３ａがカード２の前端面に接触している状態を手動で解除できるように、抜取り防止機構１１が構成されても良い。この場合には、抜取り防止部材４３の接触部４３ａがカード２の前端面に接触しているときに停電が発生しても、カード２の前端面に接触部４３ａが接触している状態を解除して、カードリーダ１の内部からカード２を抜き取ることが可能になる。
【００７６】
上述した形態において、左右方向において所定の間隔をあけた状態で配置される２個の位置決め機構１０を用いて、カード２の短手方向が前後方向と略一致するようにカード２が挿入口３に挿入されたのかそれともカード２の長手方向が前後方向と略一致するようにカード２が挿入口３に挿入されたのかを検知しても良い。すなわち、２個の位置決め機構１０が、カード２がその短手方向で挿入口３に挿入されたのかそれともその長手方向で挿入口３に挿入されたのかを検知するための幅検知機構となっていても良い。この場合には、幅検知機構３０を別途、設置する必要がなくなるため、カードリーダ１の構成を簡素化することが可能になる。
【００７７】
上述した形態では、カード２は、厚さが０．７〜０．８ｍｍ程度の矩形状の塩化ビニール製のカードである。この他にもたとえば、カード２は、厚さが０．１８〜０．３６ｍｍ程度のＰＥＴ（ポリエチレンテレフタレート）カードであっても良いし、所定の厚さの紙カード等であっても良い。また、上述した形態では、カード２に磁気ストライプ２ａが形成されているが、カード２に磁気ストライプ２ａが形成されていなくても良い。
【符号の説明】
【００７８】
１  カードリーダ
２  カード
２ａ  磁気ストライプ
２ｂ  外部接続端子
３  挿入口
４  カード挿入部
４ａ  凹部
９  ＩＣ接点ブロック
１０  位置決め機構（先端検知機構）
１１  抜取り防止機構
２５  ＩＣ接点バネ
３０  幅検知機構（挿入向き検知機構の一部）
３１  プリヘッド（磁気ヘッド、挿入向き検知機構の一部、表裏検知機構）
３２  金属検知機構（挿入向き検知機構の一部、表裏検知機構）
３６  位置決め部材（当接部材）
３６ａ  当接部
３８  センサ
３９  引張りコイルバネ（付勢部材）
４１  押出し機構
４３  抜取り防止部材
Ｘ１  カードの挿入方向
Ｘ２  カードの排出方向
Ｙ  カードの幅方向
Ｚ  カードの厚さ方向
【図１】
2015194875.tif 000003
【図２】
2015194875.tif 000004
【図３】
2015194875.tif 000005
【図４】
2015194875.tif 000006
【図５】
2015194875.tif 000007
【図６】
2015194875.tif 000008